(57)【要約】【課題】  小型で洗浄能力に優れたショッピングカート洗浄装置を提供することを目的とする。【解決手段】  カートＣが収容される洗浄室３内に、カートＣに向けて洗浄水を噴射するカート洗浄部１２と、乾燥風を送風するカート乾燥部１３とを備え、洗浄部１２は、洗浄室３内に収容されたカートＣの長手方向に往復走行する走行台車２１と、走行台車２１に吊下されカートＣに洗浄水を噴射する散水パイプ２２と、走行台車２１を走行する走行装置２６を備え、乾燥部１３は、洗浄室３内に収容されたカートＣの長手方向に移動可能とした左右一対の走行台車３１と、走行台車３１に設けられカートＣに乾燥風を送風する送風ノズル３２と、走行台車３１を走行する走行装置３６を備え、制御部５３は、洗浄室３内に収容されたカートＣに対して洗浄シーケンスに沿って洗浄部１２と乾燥部１３を連続的に駆動してカートＣを洗浄乾燥するものである。【選択図】図２
2014231030.tif 000002
【特許請求の範囲】
【請求項１】
ショッピングカートが収容される洗浄室内に、カートに向けて洗浄水を噴射する洗浄手段と、乾燥風を送風する乾燥手段とを備え、制御手段により前記洗浄手段と乾燥手段を制御して洗浄室内に収容されたカートを洗浄する装置であって、
前記洗浄手段は、洗浄室内に収容されたカートの上方でカートの長手方向に往復走行する走行台車と、該走行台車に吊下されカートに洗浄水を噴射する散水パイプと、該走行台車を走行する洗浄駆動装置とを備え、
前記乾燥手段は、洗浄室内に収容されたカートの斜め上方で長手方向に移動可能とした左右一対の走行台車と、該走行台車に設けられカートに乾燥風を送風する送風ノズルと、該走行台車を走行する乾燥駆動装置とを備え、
前記制御手段は、洗浄室内に収容されたカートに対して洗浄シーケンスに沿って前記洗浄手段と乾燥手段を連続的に駆動してカートを洗浄乾燥することを特徴とするショッピングカート洗浄装置。
【請求項２】
前記洗浄手段は、前記散水パイプを前記走行台車の走行方向に対して前後に揺動する洗浄揺動装置を備え、前記制御手段は、洗浄駆動装置による走行台車の前後移動と洗浄揺動装置による散水パイプの前後揺動を行いながらカートに洗浄水を噴射することを特徴とする上記請求項１記載のショッピングカート洗浄装置。
【請求項３】
前記散水パイプは、カートを幅方向に挟むアーチ状に形成し、カートの主にグリップ部上面に洗浄水を噴射するノズルと、カートの主にグリップ部側面及びバスケット部内面に洗浄水を噴射するノズルと、カートの主にグリップ部下面及びバスケット部側面に洗浄水を噴射するノズルと、カートの主にキャスター部に洗浄水を噴射するノズルとを備えたことを特徴とする上記請求項１又は２記載のショッピングカート洗浄装置。
【請求項４】
前記乾燥手段は、前記送風ノズルをカートの上下方向に揺動する乾燥揺動装置を備え、前記制御手段は、乾燥駆動装置による走行台車の前後移動と乾燥揺動装置による送風ノズルの上下揺動を実行しながらカートに高圧風を送風することを特徴とする上記請求項１記載のショッピングカート洗浄装置。
【請求項５】
前記送風ノズルは、送風口を略筒状に形成し、カートの斜め上方から前記走行台車の走行方向に対して左右一方を前方下向きに、他方を後方下向きにしてカートに送風することを特徴とする上記請求項１又は４記載のショッピングカート洗浄装置。
【請求項６】
前記洗浄室内に換気手段を備え、前記制御手段は、前記洗浄手段による洗浄動作と前記乾燥手段による乾燥動作の間に、換気手段により洗浄室内の換気を行うことを特徴とする上記請求項１記載のショッピングカート洗浄装置。
【発明の詳細な説明】
【技術分野】
【０００１】
本発明は、スーパーマーケット等で広い空間で買い物する際に使用されるショッピングカートを洗浄するショッピングカート洗浄装置に関するものである。
【背景技術】
【０００２】
ショッピングカートは、買い物する際に商品を積載・運搬したり、幼児を乗せて移動したりするのに利用されている。このショッピングカートは、店舗内での使用だけでなく、商品を自動車まで運搬するのにも使用されるため、ホコリがつきやすく、また多くの利用客が共同で使用するため、グリップ部が衛生的ではない。
【０００３】
ショッピングカートを自動的に洗浄する装置として、特許文献１が提案されている。特許文献１の洗浄装置は、カートをカート投入部からカート洗浄部・カート乾燥部を経てカート取出し部に至る搬送路上を移動させながら、ジェット洗浄・ブラッシング洗浄・すすぎ・熱風乾燥を順次施すものであり、大量のカートを連続して処理するのに適しているものの、装置の専有面積が多大となるという問題があった。
【先行技術文献】
【特許文献】
【０００４】
【特許文献１】特表２０１０−５２２１２０号公報
【発明の概要】
【発明が解決しようとする課題】
【０００５】
本発明が解決しようとする課題は、小型で洗浄能力に優れたショッピングカート洗浄装置を提供することを目的とするものである。
【課題を解決するための手段】
【０００６】
このような課題を解決するために本発明は、ショッピングカートが収容される洗浄室内に、カートに向けて洗浄水を噴射する洗浄手段と、乾燥風を送風する乾燥手段とを備え、制御手段により洗浄手段と乾燥手段を制御して洗浄室内に収容されたカートを洗浄する装置であって、洗浄手段は、洗浄室内に収容されたカートの上方でカートの長手方向に往復走行する走行台車と、該走行台車に吊下されカートに洗浄水を噴射する散水パイプと、該走行台車を走行する洗浄駆動装置とを備え、乾燥手段は、洗浄室内に収容されたカートの斜め上方で長手方向に移動可能とした左右一対の走行台車と、該走行台車に設けられカートに乾燥風を送風する送風ノズルと、該走行台車を走行する乾燥駆動装置とを備え、制御手段は、洗浄室内に収容されたカートに対して洗浄シーケンスに沿って洗浄手段と乾燥手段を連続的に駆動してカートを洗浄乾燥することを特徴とする。
【０００７】
洗浄手段は、散水パイプを前記走行台車の走行方向に対して前後に揺動する洗浄揺動装置を備え、制御手段は、洗浄駆動装置による走行台車の前後移動と洗浄揺動装置による散水パイプの前後揺動を行いながらカートに洗浄水を噴射することを特徴とする。散水パイプは、カートを幅方向に挟むアーチ状に形成し、カートの主にグリップ部上面に洗浄水を噴射するノズルと、カートの主にグリップ部側面及びバスケット部内面に洗浄水を噴射するノズルと、カートの主にグリップ部下面及びバスケット部側面に洗浄水を噴射するノズルと、カートの主にキャスター部に洗浄水を噴射するノズルとを備える。
【０００８】
乾燥手段は、送風ノズルをカートの上下方向に揺動する乾燥揺動装置を備え、制御手段は、乾燥駆動装置による走行台車の前後移動と乾燥揺動装置による送風ノズルの上下揺動を実行しながらカートに高圧風を送風することを特徴とする。送風ノズルは、送風口を略筒状に形成し、カートの斜め上方から走行台車の走行方向に対して左右一方を前方下向きに、他方を後方下向きにしてカートに送風する。
【０００９】
洗浄室内に換気手段を備え、制御手段は、洗浄手段による洗浄動作と乾燥手段による乾燥動作の間に、換気手段により洗浄室内の換気を行う。
【発明の効果】
【００１０】
本発明のショッピングカート洗浄装置によれば、洗浄室内で洗浄と乾燥が行えるため、装置の省スペース化が図られる。洗浄室内にカートを収容するだけで洗浄と乾燥が自動的に行われるため、カート洗浄の省力化が図られる。
【図面の簡単な説明】
【００１１】
【図１】本発明のショッピングカート洗浄装置を示す外観図である。
【図２】洗浄室３内の構成を示す説明図である。
【図３】洗浄室３内のカート洗浄部１２の構成を示す説明図である。
【図４】カート洗浄部１２の揺動装置２７の構成を示す説明図である。
【図５】洗浄室３内のカート乾燥部１３の構成を示す説明図である。
【図６】カート乾燥部１３の揺動装置３７の構成を示す説明図である。
【図７】管路構成及び制御系を示す説明図である。
【図８】本装置の洗浄シーケンスを示すフローチャート図である。
【図９】本装置の洗浄動作を示す説明図である。
【図１０】本装置の乾燥動作を示す説明図である。
【発明を実施するための最良の形態】
【００１２】
図１〜６を用いて本発明のショッピングカート洗浄装置の構成を説明する。
（装置本体１）
１は装置本体で、図１に示すように、箱状に形成され、内部を仕切板２により洗浄室３と機械室４とに区画されている。本体１の前面には、洗浄室３に通じるカート出入口５と、機械室４に繋がる点検口６と、洗浄メニュー等を設定する操作パネル７を備えている。カート出入口５には、洗浄室３内を目視するための覗き窓と施錠可能なハンドルを備えた開閉扉８と、洗浄室３へのショッピングカートＣの搬入・搬出を容易にするスロープ９が設けられ、点検口６には、施錠可能なハンドルを備えた開閉扉１０が設けられている。
【００１３】
洗浄室３は、図２に示すように、内部にショッピングカートＣが複数台収容できるスペースを確保し、床部にカートＣが載置されるカート載置台１１を備え、天面中央部にカートＣに洗浄水を噴射するカート洗浄部１２を備え、左右側面上部にカートＣに乾燥風を噴射するカート乾燥部１３を備え、一側面上部に室内の換気を図る換気部１４を備えている。
【００１４】
機械室４は、図１に示すように、内部にカート洗浄部１２に給水する給水ユニット１５と、カート洗浄部１２にケミカルを供給する洗浄剤ユニット１６と、カート乾燥部１３に高圧風を供給する送風ユニット１７と、各部位に電力を供給する電装ボックス１８とを備えている。
【００１５】
以下、洗浄室３の各部位について説明する。
（カート載置台１１）
カート載置台１１は、図３に示すように、洗浄室３の床面に、カート出入口５側が低くなるように傾斜させて取り付けられ、表面に排水穴１１ａを複数開口させた多孔板から形成されている。カート載置台１１の入り口には、カート車輪に付着したゴミを除去するためのブラシ板１９を設け、カートＣを洗浄室３に収容する際にこのブラシ板１９で車輪をブラッシングすることができる。また、カート載置台１１とブラシ板１９との段差で、カートＣの車輪を保持され、傾斜したカート載置台１１上にカートＣを載置してもカートＣが開閉扉８に接触することが防止される。
【００１６】
（カート洗浄部１２）
カート洗浄部１２は、図２〜４に示すように、洗浄室３の上部中央に奥行き方向に沿って設けられる左右一対の台車走行レール２０と、走行レール２０に沿って往復走行する走行台車２１と、走行台車２１の下面に吊下される散水パイプ２２とから構成され、洗浄室３の天面中央部に設けられている。
【００１７】
台車走行レール２０は、断面コ字状に形成した２つの長尺角材を、それぞれの開口面を対向させた状態で所定間隔をもって平行に配列して形成され、走行台車２１の走行位置を与えるリミットスイッチ２３・２４を備えている。ここで、リミットスイッチ２３は、台車走行レール２０の後端位置を与え、リミットスイッチ２４は、台車走行レール２０の前端位置を与えるものであり、通常、走行台車２１はリミットスイッチ２３で与える後端位置に待機し、リミットスイッチ２４で与える前端位置までの範囲を往行・復行する。
【００１８】
走行台車２１は、外側面に車輪２５を備え、それぞれの車輪２５が台車走行レール２０に挟持されてレール内に走行案内された状態で、走行装置２６によって走行駆動される。走行装置２６は、図３に示すように、台車走行レール２０の後端上部に設けられる走行モータ２６ａと、台車走行レール２０の前端上部に設けられる軸部２６ｂと、軸部２６ｂに設けたスプロケット２６ｃと、走行モータ２６ａの出力軸とスプロケット２６ｃ間に巻回され、端部を台車走行レール２０の前後に連結したチェーン２６ｄとからなり、走行台車２１を走行レール２０に沿って走行させるものである。走行モータ２６ａは、正逆転自在であり、正転により走行台車２１を待機位置から前進させ、逆転により走行台車２１を後進させることができる。
【００１９】
また、走行台車２１は、内部に散水パイプ２２を前後方向に揺動する揺動装置２７を備えている。揺動装置２７は、図４に示すように、走行台車２１上に設けられる揺動モータ２７ａと、揺動モータ２７ａの出力軸に取り付けられる駆動リンク２７ｂと、散水パイプ２２の揺動軸２８に取り付けられる従動リンク２７ｃと、駆動リンク２７ｂと従動リンク２７ｃを連結する連結リンク２７ｄとからなり、揺動モータ２７ａの回転を散水パイプ２２の揺動に変換するクランク機構である。通常、散水パイプ２２は、走行方向に直交する姿勢（実線）にあり、揺動モータ２７ａの回転により左右の一方側の散水パイプ２２が走行方向に対して先行し、他方側が後行する姿勢（点線・一点破線）の範囲で揺動する。
【００２０】
散水パイプ２２は、図２に示すように、水平に延びる水平管２２ａと、水平管２２ａの両端に接続される傾斜管２２ｂと、傾斜管２２ｂの先端から床面に向けて垂直に延びる垂直管２２ｃとを備え、水平管２２aの中心で揺動軸２８の下端に連結され、カートＣを幅方向に挟むアーチ状に構成されている。これら水平管２２ａ〜垂直管２２ｃは、すべて中空パイプからなり、揺動軸２８との連結部に設けた入水管２２ｄより給水ユニット１５からの送水を受けて、水平管２２ａ・傾斜管２２ｂ・垂直管２２ｃに設けた噴射ノズル２９ａ〜２９ｄから高圧の洗浄液を噴射する。
【００２１】
各噴射ノズル２９ａ〜２９ｄは、扇状の噴射パターンを形成する拡散ノズルチップを備え、広域の洗浄範囲をカバーする。このうち、噴射ノズル２９ａは、水平管２２ａに下向きで取り付けられ、カートＣの主にグリップ部上面に上方から洗浄水を噴射する。噴射ノズル２９ｂは、傾斜管２２ｂに内向きで取り付けられ、カートＣの主にグリップ部側面及びバスケット部内面に斜め上方から洗浄水を噴射する。噴射ノズル２９ｃは、垂直管２２ｃの略中間位置に内向きで且つやや上向きで取り付けられ、カートＣのグリップ部下面及びバスケット部側面に側方から洗浄水を噴射する。噴射ノズル２９ｄは、垂直管２２ｃの下端位置に内向きで取り付けられ、カートＣのキャスター部に洗浄水を噴射する。
【００２２】
（カート乾燥部１３）
カート乾燥部１３は、図２及び図５・６に示すように、洗浄室３の上部側部に奥行き方向に沿って左右一対に設けられる台車走行レール３０と、走行レール３０に沿って往復走行する走行台車３１と、走行台車３１の内面に取り付けられる送風ノズル３２とから構成され、洗浄室３の左右側面上部に設けられている。
【００２３】
台車走行レール３０は、断面コ字状に形成した２つの長尺角材を、それぞれの開口面を対向させた状態で所定間隔をもって平行に配列して形成され、いずれか一方の走行台車３１の走行位置を与えるリミットスイッチ３３・３４を備えている。ここで、リミットスイッチ３３は、台車走行レール３０の後端位置を与え、リミットスイッチ３４は、台車走行レール３０の前端位置を与えるものであり、通常、走行台車３１はリミットスイッチ３３で与える後端位置に待機し、リミットスイッチ３４で与える前端位置までの範囲を往行・復行する。
【００２４】
走行台車３１は、外側面に車輪３５を備え、それぞれの車輪３５が台車走行レール３０に挟持されてレール内に走行案内された状態で、走行装置３６によって走行駆動される。走行装置３６は、図５に示すように、一方台車走行レール３０の後端に設けられる走行モータ３６ａと、走行モータ３６ａの出力軸に連結した連結軸３６ｂと、連結軸３６ｂに取り付けた後スプロケット３６ｃと、台車走行レール３０の前端に設けられる軸部３６ｄと、軸部３６ｄに設けた前スプロケット３６ｅと、後スプロケット３６ｃと前スプロケット３６ｅとの間に巻回され、端部を走行台車３１の前後に連結したチェーン３６ｆとからなり、走行台車３１を走行レール３０に沿って走行させるものである。走行モータ３６ａは、正逆転自在であり、正転により走行台車３１を待機位置から前進させ、逆転により走行台車３１を後進させることができる。
【００２５】
また、走行台車３１は、送風ノズル３２を上下方向に揺動する揺動装置３７を備えている。揺動装置３７は、図６に示すように、走行台車３１上に設けられる揺動モータ３７ａと、揺動モータ３７ａの出力軸に取り付けられる駆動リンク３７ｂと、送風ノズル３２の外周面に設けたリンク片３７ｃと、走行台車３１の側面に設けられリンク片３７ｃを揺動軸３８を介して軸支する支持片３７ｄと、駆動リンク３７ｂとリンク片３７ｃを連結する連結リンク３７ｅとからなり、揺動モータ３７ａの回転を揺動軸３８の揺動に変換するクランク機構である。通常、送風ノズル３２は、送風口３２ａが垂直下向きから僅かに内側に指向した姿勢（実線）にあり、揺動モータ３７ａの回転により送風口３２ａが洗浄室３の内方に揺動する姿勢（点線・一点破線）までの範囲で揺動する。
【００２６】
送風ノズル３２は、ダクトホース３９を介して送風ユニット１７と接続され、ダクトホース３９からの送風をそのままの勢いで吹き出す筒状の送風口３２ａを備えている。左右の送風ノズル３２は、一方が洗浄室３の斜め後方に、他方が洗浄室の斜め前方に向くように取り付けられており、各送風ノズルからの送風が互いに干渉しないようにしている。尚、送風口３２ａの形状は、円形であればよいが、それ以外にも楕円・多角形・近似円等でも良い。本出願人の実験によれば、短辺／長辺＝０．２以上の長方形で囲まれる範囲で開口形状を設定すれば、十分な乾燥効果が得られた。
【００２７】
（換気部１４）
換気部１４は、図２に示すように、洗浄室３の一方側面上部に設けられる排気口４０と、洗浄室３の他方側面下部に設けられる外気取入口４１と、排気口４０に取り付けられる排気筒４２と、排気筒４２内に備えられる換気扇４３と、外気取入口４１に取り付けられる開閉自在な蓋体４４とから構成されている。排気口４０と外気取入口４１は、洗浄室３内部の湿気を効率良く外部に排出するため、それぞれ洗浄室３の対角位置に設けられており、換気扇４３の駆動と蓋体４４の開放により、洗浄室３を縦断する換気経路が形成される。
【００２８】
続いて、図７を用いて管路構成及び制御系について説明する。
給水ユニット１５は、水タンク４５・給水ポンプ４６・開閉バルブ４７を備え、給水管路４８を通じて散水パイプ２２の入水管２２ｄに接続している。洗浄剤ユニット１６は、洗剤タンク４９・洗剤ポンプ５０を備え、給剤管路５１を通じて給水管路４８に接続している。洗浄時に、給水ポンプ４６を駆動して開閉バルブ４７を開くことで散水パイプ２２から洗浄水が噴射され、必要に応じて洗剤ポンプ５０を駆動して洗剤タンク４９の洗剤を混入させて洗剤水を噴射させる。尚、図示しないが、コンプレッサを装備し、給水管路４８にエアを混入させて発泡剤を噴射できるようにしても良い。また、使用される洗剤は特に限定されず、洗浄効果の高いもの、除菌効果の高いもの等、任意に選択できる。
【００２９】
送風ユニット１７は、ブロワ装置５２を内蔵し、左右の送風ノズル３２にそれぞれダクトホース３９を通じて高圧風を供給する。電装ボックス１８は、制御装置５３を備え、各部位への給電と操作パネル７からの指令に基づく洗浄動作を制御する。制御装置５３には、操作パネル７、カート洗浄部１２の走行リミットスイッチ２３・２４、走行モータ２６ａ及び揺動モータ２７ａ、カート乾燥部１３の走行リミットスイッチ３３・３４、走行モータ３６ａ及び揺動モータ３７ａ、換気部１４の換気扇４３・給水ユニット１５の給水ポンプ４６・開閉バルブ４７、洗剤ユニット１６の洗剤ポンプ５０が接続されている。
【００３０】
操作パネル７には、洗浄コースを選択するコース選択キー５４・洗浄を開始するスタートキー５５・洗浄を中止するストップキー５６が備えられ、顧客の希望に添った洗浄形態を設定できるようになっている。また、操作パネル７では、管理機能への切り替えができ、各種集計や点検作業、異常発生時のメンテナンスなどが行える。
【００３１】
次に、図８〜１０を用いてショッピングカート洗浄装置の動作について説明する。
カート出入口５の開閉扉８を開き、カートＣを複数台（ここでは５台）重ねた状態で洗浄室３内に搬入する。搬入に伴い、ブラシ板１９でカートＣの車輪部がブラッシングされる。洗浄室３内に収容されると、カート載置台１１とブラシ板１９との段差に最後尾のカートＣ後輪が係止されて収容状態が支持される。
【００３２】
開閉扉８を閉じた後、操作パネル７のコース選択キー５４を操作して洗浄コースを選択し、スタートキー５５を入力すると、洗浄動作が開始される。コース選択キー５４で選択される洗浄コースは、［標準コース］と［ていねいコース］の２種類あり、各コースにおいて実行される工程レイアウトは同じであり、各工程の処理回数や処理時間が異なっている。
【００３３】
以下、洗浄コースとして［標準コース］を選択した場合について説明する。
標準コースでは、図８に示すように、予備洗浄−洗剤散布−濯ぎ−換気−乾燥の各工程が順次実行される。
【００３４】
＜予備洗浄＞
予備洗浄は、散水パイプ２２から水を噴射しながら走行台車２１を走行させ、カートＣ全体の汚れを除去する工程である。給水ユニット１５のポンプ４６及び開閉バルブ４７を駆動し、散水パイプ２２に洗浄水を送水する。次に、カート洗浄部１２の走行モータ２６ａと揺動モータ２７ａを駆動して、走行台車２１をリミットスイッチ２３で与える後端位置からリミットスイッチ２４で与える前端位置までの範囲で往復走行させながら散水パイプ２２を前後に揺動させてカート全体に洗浄水を噴射する。
【００３５】
＜洗剤散布＞
洗剤散布は、散水パイプ２２から洗剤を噴射しながら走行台車２１を走行させ、カートＣ全体に洗剤を散布する工程である。給水ユニット１５のポンプ４６及び開閉バルブ４７を駆動するとともに、洗剤ユニット１６のポンプ５０を作動し、散水パイプ２２に洗剤水を送水する。次に、カート洗浄部１２の走行モータ２６ａと揺動モータ２７ａを駆動して、走行台車２１をリミットスイッチ２３で与える後端位置からリミットスイッチ２４で与える前端位置までの範囲で往復走行させながら散水パイプ２２を前後に揺動させてカート全体に洗剤を散布する。
【００３６】
＜濯ぎ＞
濯ぎは、散水パイプ２２から水を噴射しながら走行台車２１を走行させ、散布された洗剤を除去する工程であり、動作は予備洗浄と同じである。尚、洗剤散布してから濯ぎを行うまでの間に、洗剤を汚れに浸透させる浸透時間を設けている。この浸透時間は、任意に設定され、洗剤を散布した状態で所定時間放置しておくことで、洗浄効果・除菌効果を著しく高めることができる。
【００３７】
＜換気＞
換気は、洗浄室３内に充満した蒸気や水滴を排出する工程である。換気扇４３を駆動し、洗浄室３の対角位置にある外気取入口４１の蓋体４４を開くことで、洗浄室３内の湿気等が広範囲に亘って効率良く外部に排出される。
【００３８】
＜乾燥＞
乾燥は、送風ノズル３２から高圧風を送風しながら走行台車３１を走行させ、カートＣに付着した水滴を吹き飛ばす工程である。送風ユニット１７のブロワ装置５２を駆動し、送風ノズル３２に高圧風を供給する。次に、カート乾燥部１３の走行モータ３６ａと揺動モータ３７ａを駆動して、走行台車３１をリミットスイッチ３３で与える後端位置からリミットスイッチ３４で与える前端位置までの範囲で走行させながら送風ノズル３２を左右に揺動させてカートＣ全体に高圧風を吹き付ける。
【００３９】
洗浄動作が終了すると、終了報知などを行い、洗浄室３からのカートＣの搬出を促す。こうしてカートＣは、洗浄水による洗浄、洗剤による洗浄、高圧風による乾燥が行われて洗浄室３から搬出される。洗浄室内で作業により、周囲への水飛散がなく、洗浄に伴う騒音の発生も抑制することができる。洗浄の様子は、洗浄室の扉に設けた覗き窓から確認でき、必要に応じて工程の追加を行う等、任意に対応することができる。
【符号の説明】
【００４０】
１    装置本体
３    洗浄室
４    機械室
７    操作パネル
１１  カート載置台
１２  カート洗浄部
１３  カート乾燥部
１４  換気部
１５  給水ユニット
１６  洗浄剤ユニット
１７  送風ユニット
１８  電装ボックス
２１  走行台車
２２  散水パイプ
２６  走行装置（カート洗浄部）
２７  揺動装置（カート洗浄部）
２９  噴射ノズル
３１  走行台車
３２  送風ノズル
３６  走行装置（カート乾燥部）
３７  揺動装置（カート乾燥部）
４３  換気扇
【図１】
2014231030.tif 000003
【図２】
2014231030.tif 000004
【図３】
2014231030.tif 000005
【図４】
2014231030.tif 000006
【図５】
2014231030.tif 000007
【図６】
2014231030.tif 000008
【図７】
2014231030.tif 000009
【図８】
2014231030.tif 000010
【図９】
2014231030.tif 000011
【図１０】
2014231030.tif 000012